(57)【要約】【課題】受信信号の再引込みから、同期判定までの時間を短縮する。【解決手段】受信信号連続カウンタ８は等化器３からの等化ディジタル信号Ｉｃｈ３、Ｑｃｈ３を入力し信号点配置面上の予め定められた領域内に引き込まれて存在する信号の個数である領域存在信号数を計数し等化器３のタップ係数の発散を検出し第２アラーム信号を発生する。非同期検出回路９はＣ／Ｎ推定回路７で求められたＣ／Ｎ値から同期の外れを検出し第１アラーム信号を発生する。間欠リセット信号発生回路１０は第１アラーム信号と第２アラーム信号とのうちのいずれかを受け、間欠リセットパルス信号を等化器３とＣＡＲＲ  ＬＰＦ５に送る。等化器３は間欠リセットパルス信号によりタップ係数をリセットする。ＣＡＲＲ  ＬＰＦ５は間欠リセットパルス信号により内部の回路をリセットする。【選択図】      図１
2004242258.tif 000002
【特許請求の範囲】
【請求項１】
入力される中間周波数信号を互いに直交するベースバンド信号に変換する直交検波器と、後記搬送波ループフィルタからの後記位相誤差信号により、位相同期のための周波数信号を前記直交検波器に供給する発振器と、前記直交するベースバンド信号を互いに直交するディジタル信号に変換するアナログ・ディジタル変換器と、前記直交するディジタル信号を等化して、直交する等化ディジタル信号を出力する等化器と、前記直交する等化ディジタル信号から位相誤差を検出し、位相が進んでいるか遅れているかを示す位相誤差信号を出力する搬送波位相検波器と、前記位相誤差信号から高周波数成分を除去し、高周波数成分が除去された位相誤差信号を前記発振器に送る搬送波ループフィルタとを有して構成される搬送波の位相同期を確立する搬送波位相同期回路と、
前記等化器からの前記直交する等化ディジタル信号より、Ｃ／Ｎ（キャリア対雑音）値を求めるＣ／Ｎ推定回路と、
前記Ｃ／Ｎ推定回路で求められたＣ／Ｎ値により、同期の外れを判定し、同期が外れていることを示す第１アラーム信号を発生する非同期検出回路と、
前記等化器から前記直交する等化ディジタル信号を入力して、信号点配置面上の予め定められた領域内に引き込まれて存在する信号の個数である領域存在信号数を計数して前記等化器の発散を検出し第２アラーム信号を発生する受信信号連続カウンタと、
前記非同期検出回路からの第１アラーム信号と前記受信信号連続カウンタからの第２アラーム信号とのいずれかを受信し、前記等化器と前記搬送波ループフィルタとをリセットするためのリセットパルス信号を発生し、このリセットパルス信号を前記等化器と前記搬送波ループフィルタとに送るリセット信号発生回路とを備え、
前記等化器は、前記リセット信号発生回路から前記リセットパルス信号を受け、内部の回路をリセットする手段と、
前記搬送波ループフィルタは、前記リセット信号発生回路から前記リセットパルス信号を受け、内部の回路をリセットする手段とを有することを特徴とする復調回路。
【請求項２】
入力される中間周波数信号を互いに直交するベースバンド信号に変換する直交検波器と、位相同期のための周波数信号を前記直交検波器に供給する発振器と、前記直交するベースバンド信号を互いに直交するディジタル信号に変換するアナログ・ディジタル変換器と、後記数値制御発振器からの数値により前記直交するディジタル信号の位相を固定して、位相が固定された直交するディジタル信号を出力する位相回転器と、前記位相が固定された直交するディジタル信号を等化して、直交する等化ディジタル信号を出力する等化器と、前記直交する等化ディジタル信号から位相誤差を検出し、位相が進んでいるか遅れているかを示す位相誤差信号を出力する搬送波位相検波器と、前記位相誤差信号から高周波数成分を除去し、高周波数成分が除去された位相誤差信号を出力する搬送波ループフィルタと、前記搬送波ループフィルタからの位相誤差信号より、数値を発生し、この数値を前記位相回転器に送る数値制御発振器とを有して構成される準同期回路と、
前記等化器からの前記直交する等化ディジタル信号より、Ｃ／Ｎ（キャリア対雑音）値を求めるＣ／Ｎ推定回路と、
前記Ｃ／Ｎ推定回路で求められたＣ／Ｎ値により、同期の外れを判定し、同期が外れていることを示す第１アラーム信号を発生する非同期検出回路と、
前記等化器から前記直交する等化ディジタル信号を入力して、信号点配置面上の予め定められた領域内に引き込まれて存在する信号の個数である領域存在信号数を計数して前記等化器の発散を検出し第２アラーム信号を発生する受信信号連続カウンタと、
前記非同期検出回路からの第１アラーム信号と前記受信信号連続カウンタからの第２アラーム信号とのいずれかを受信し、前記等化器と前記搬送波ループフィルタとをリセットするためのリセットパルス信号を発生し、このリセットパルス信号を前記等化器と前記搬送波ループフィルタとに送るリセット信号発生回路とを備え、
前記等化器は、前記リセット信号発生回路から前記リセットパルス信号を受け、内部の回路をリセットする手段と、
前記搬送波ループフィルタは、前記リセット信号発生回路から前記リセットパルス信号を受け、内部の回路をリセットする手段とを有することを特徴とする復調回路。
【請求項３】
前記受信信号連続カウンタは、前記等化器から前記直交する等化ディジタル信号を入力して、予め定められた時間内に、信号点配置面上の予め定められた領域内に引き込まれて存在する信号の個数である領域存在信号数を計数し、この領域存在信号数と予め定められた閾値とを比べ、この領域存在信号数が予め定められた閾値を超えるとき、前記等化器が発散であると判定し前記第２アラーム信号を発生することを特徴とする請求項１と２とのうちのいずれか一項に記載の復調回路。
【請求項４】
前記信号点配置面上の予め定められた領域は、信号の最大振幅点を含む領域であることを特徴とする請求項１と２と３のうちのいずれか一項に記載の復調回路。
【請求項５】
前記予め定められた閾値は、同期判定の対象とする信号の総数をｎとするとき、ｎ／２であることを特徴とする請求項３に記載の復調回路。
【請求項６】
前記予め定められた閾値は、同期判定の対象とする信号の総数をｎとし、正の実数をＭとするとき、ｎ／Ｍであることを特徴とする請求項３に記載の復調回路。
【請求項７】
前記予め定められた時間は、変調周波数をｆｓとし、同期判定の対象とする信号の総数をｎとするとき、ｎ×（１／ｆｓ）あることを特徴とする請求項３に記載の復調回路。
【請求項８】
前記等化器は、タップ係数を可変するトランスバーサルフィルタを有し、前記リセット信号発生回路から前記リセットパルス信号を受け、前記タップ係数をリセットする手段を有することを特徴とする請求項１と２とのうちのいずれか一項に記載の復調回路。
【請求項９】
前記非同期検出回路は、前記Ｃ／Ｎ推定回路で求められたＣ／Ｎ値と予め定められたＣ／Ｎ閾値との比較を行い、前記求められたＣ／Ｎ値が前記予め定められたＣ／Ｎ閾値より低い値のとき、同期の外れと判定し前記第１アラーム信号を発生することを特徴とする請求項１と２とのうちのいずれか一項に記載の復調回路。
【請求項１０】
前記入力される中間周波数信号は、多値ＱＡＭで変調された信号であることを特徴とする請求項１と２とのうちのいずれか一項に記載の復調回路。
【発明の詳細な説明】
【０００１】
【発明の属する技術分野】
本発明は、復調回路に関し、詳しくは、マイクロ波ディジタル無線通信システムの復調回路において、等化器のタップ係数が発散したとき、信号が正常の引込んだ状態に復旧するまでにかかる時間を短縮することができる復調回路に関する。
【０００２】
【従来の技術】
従来、マイクロ波ディジタル通信システムの復調回路は、受信信号からＣ／Ｎ値を求め、このＣ／Ｎ値により受信信号の同期外れを判定している。しかしながら、受信信号を等化する等化器のタップ係数が何らかの理由で発散してしまった場合、受信信号点がある点に縮退（停留）してしまい、このＣ／Ｎ値が、見かけ上、良くなってしまうため、正確に同期外れ判定が行われず、信号が正しく復調されない。
【０００３】
これを解決する従来の第１の方式は、前方誤り訂正（ＦＥＣ）により誤りが検出されると、アラーム信号を発生し、このアラーム信号により、受信信号が正しい状態で再び引込むように等化器のタップ係数をリセットするよう構成されている。
【０００４】
これを解決する従来の第２の方式は、フレームパターンを検出し、フレームパターンの異常と正常と繰り返すとき、等化器をリセットするよう構成されている（例えば、特許文献１）。
【０００５】
【特許文献１】
特開昭６３−１３５２６号公報（頁５〜６、図）
【０００６】
【発明が解決しようとする課題】
しかしながら、従来の第１の方式では、前方誤り訂正（ＦＥＣ）の性質上、アラーム信号を発生に要する時間が大で、受信信号の再引込みから同期判定が行われるまでに数フレーム分の遅延が生じてしまうために、受信信号を正常の引込んだ状態に復旧するまでに時間がかかるという課題を有する。
【０００７】
また、従来の第２の方式では、フレームパターンの検出に時間がかかり、受信信号を正常の引込んだ状態に復旧するまでに時間がかかるという課題を有する。
【０００８】
そこで、本発明の目的は、復調回路に、同一信号点に縮退する信号の個数を計数する受信信号連続カウンタを設けることにより、等化器のタップ係数の発散を、直接、検出して、受信信号が正常の引込んだ状態に復旧するまでにかかる時間を短縮することである。
【０００９】
【課題を解決するための手段】
本発明の復調回路は、入力される中間周波数信号を互いに直交するベースバンド信号に変換する直交検波器と、後記搬送波ループフィルタからの後記位相誤差信号により、位相同期のための周波数信号を前記直交検波器に供給する発振器と、前記直交するベースバンド信号を互いに直交するディジタル信号に変換するアナログ・ディジタル変換器と、前記直交するディジタル信号を等化して、直交する等化ディジタル信号を出力する等化器と、前記直交する等化ディジタル信号から位相誤差を検出し、位相が進んでいるか遅れているかを示す位相誤差信号を出力する搬送波位相検波器と、前記位相誤差信号から高周波数成分を除去し、高周波数成分が除去された位相誤差信号を前記発振器に送る搬送波ループフィルタとを有して構成される搬送波の位相同期を確立する搬送波位相同期回路と、
前記等化器からの前記直交する等化ディジタル信号より、Ｃ／Ｎ（キャリア対雑音）値を求めるＣ／Ｎ推定回路と、
前記Ｃ／Ｎ推定回路で求められたＣ／Ｎ値により、同期の外れを判定し、同期が外れていることを示す第１アラーム信号を発生する非同期検出回路と、
前記等化器から前記直交する等化ディジタル信号を入力して、信号点配置面上の予め定められた領域内に引き込まれて存在する信号の個数である領域存在信号数を計数して前記等化器の発散を検出し第２アラーム信号を発生する受信信号連続カウンタと、
前記非同期検出回路からの第１アラーム信号と前記受信信号連続カウンタからの第２アラーム信号とのいずれかを受信し、前記等化器と前記搬送波ループフィルタとをリセットするためのリセットパルス信号を発生し、このリセットパルス信号を前記等化器と前記搬送波ループフィルタとに送るリセット信号発生回路とを備え、
前記等化器は、前記リセット信号発生回路から前記リセットパルス信号を受け、内部の回路をリセットする手段と、
前記搬送波ループフィルタは、前記リセット信号発生回路から前記リセットパルス信号を受け、内部の回路をリセットする手段とを有することを特徴とする。
【００１０】
また、本発明の復調回路は、入力される中間周波数信号を互いに直交するベースバンド信号に変換する直交検波器と、位相同期のための周波数信号を前記直交検波器に供給する発振器と、前記直交するベースバンド信号を互いに直交するディジタル信号に変換するアナログ・ディジタル変換器と、後記数値制御発振器からの数値により前記直交するディジタル信号の位相を固定して、位相が固定された直交するディジタル信号を出力する位相回転器と、前記位相が固定された直交するディジタル信号を等化して、直交する等化ディジタル信号を出力する等化器と、前記直交する等化ディジタル信号から位相誤差を検出し、位相が進んでいるか遅れているかを示す位相誤差信号を出力する搬送波位相検波器と、前記位相誤差信号から高周波数成分を除去し、高周波数成分が除去された位相誤差信号を出力する搬送波ループフィルタと、前記搬送波ループフィルタからの位相誤差信号より、数値を発生し、この数値を前記位相回転器に送る数値制御発振器とを有して構成される準同期回路と、
前記等化器からの前記直交する等化ディジタル信号より、Ｃ／Ｎ（キャリア対雑音）値を求めるＣ／Ｎ推定回路と、
前記Ｃ／Ｎ推定回路で求められたＣ／Ｎ値により、同期の外れを判定し、同期が外れていることを示す第１アラーム信号を発生する非同期検出回路と、
前記等化器から前記直交する等化ディジタル信号を入力して、信号点配置面上の予め定められた領域内に引き込まれて存在する信号の個数である領域存在信号数を計数して前記等化器の発散を検出し第２アラーム信号を発生する受信信号連続カウンタと、
前記非同期検出回路からの第１アラーム信号と前記受信信号連続カウンタからの第２アラーム信号とのいずれかを受信し、前記等化器と前記搬送波ループフィルタとをリセットするためのリセットパルス信号を発生し、このリセットパルス信号を前記等化器と前記搬送波ループフィルタとに送るリセット信号発生回路とを備え、
前記等化器は、前記リセット信号発生回路から前記リセットパルス信号を受け、内部の回路をリセットする手段と、
前記搬送波ループフィルタは、前記リセット信号発生回路から前記リセットパルス信号を受け、内部の回路をリセットする手段とを有することを特徴とする。
【００１１】
さらに、本発明の復調回路は、前記受信信号連続カウンタが、前記等化器から前記直交する等化ディジタル信号を入力して、予め定められた時間内に、信号点配置面上の予め定められた領域内に引き込まれて存在する信号の個数である領域存在信号数を計数し、この領域存在信号数と予め定められた閾値とを比べ、この領域存在信号数が予め定められた閾値を超えるとき、前記等化器が発散であると判定し前記第２アラーム信号を発生することを特徴とする。
【００１２】
また、本発明の復調回路は、前記信号点配置面上の予め定められた領域が、信号の最大振幅点を含む領域であることを特徴とする。
【００１３】
さらに、本発明の復調回路は、前記予め定められた閾値が、同期判定の対象とする信号の総数をｎとするとき、ｎ／２であることを特徴とする。
【００１４】
また、本発明の復調回路は、前記予め定められた閾値が、同期判定の対象とする信号の総数をｎとし、正の実数をＭとするとき、ｎ／Ｍであることを特徴とする。
【００１５】
さらに、本発明の復調回路は、前記予め定められた時間が、変調周波数をｆｓとし、同期判定の対象とする信号の総数をｎとするとき、ｎ×（１／ｆｓ）あることを特徴とする。
【００１６】
また、本発明の復調回路は、前記等化器が、タップ係数を可変するトランスバーサルフィルタを有し、前記リセット信号発生回路から前記リセットパルス信号を受け、前記タップ係数をリセットする手段を有することを特徴とする。
【００１７】
さらに、本発明の復調回路は、前記非同期検出回路が、前記Ｃ／Ｎ推定回路で求められたＣ／Ｎ値と予め定められたＣ／Ｎ閾値との比較を行い、前記求められたＣ／Ｎ値が前記予め定められたＣ／Ｎ閾値より低い値のとき、同期の外れと判定し前記第１アラーム信号を発生することを特徴とする。
【００１８】
また、本発明の復調回路は、前記入力される中間周波数信号が、多値ＱＡＭで変調された信号であることを特徴とする。
【００１９】
【発明の実施の形態】
次に、本発明の実施の形態について図面を参照して詳細に説明する。
【００２０】
図１は、本発明による第１の実施形態のブロック構成図で、図４は、受信信号連続カウンタの詳細ブロック構成図である。
【００２１】
本発明の説明を、図１に示すような同期検波回路を用いた実施例をもとに行なう。また、図１では、入力信号形式はＱＡＭ（Ｑｕａｄｒａｔｕｒｅ  Ａｍｐｌｉｔｕｄｅ  Ｍｏｄｕｌａｔｉｏｎ：直交振幅変調）を含む直交振幅変調方式を想定している。
【００２２】
図１を参照して、本発明による第１の実施形態のブロック構成は、直交検波器１、アナログ・ディジタル変換器（Ａ／Ｄ）２、等化器３、搬送波周波数ｆｃを発振する発振器４、搬送波ループフィルタ（ＣＡＲＲ  ＬＰＦ）５、搬送波位相検波器（ＣＡＲＲ  ＰＤ）６、Ｃ／Ｎ推定回路７、非同期検出回路９、間欠リセット信号発生回路１０で構成される同期検波回路に、受信信号連続カウンタ８を加えたものである。
【００２３】
直交検波器１は、発振器４と協働して、入力中間周波数（ＩＦ）信号ＩＦ  ＩＮをベースバンド信号Ｉｃｈ１、Ｑｃｈ１に変換する。以降、ベースバンド信号で互いに直交する２つの成分を、それぞれＩｃｈ、Ｑｃｈとする。
【００２４】
アナログ・ディジタル変換器（Ａ／Ｄ）２は、以降の処理をディジタルで行うために、アナログ信号Ｉｃｈ１、Ｑｃｈ１をディジタル信号Ｉｃｈ２、Ｑｃｈ２に変換する。
【００２５】
等化器３は、伝送路において信号がフェージング等の影響で受けた歪みの補償を行うもので、タップ係数を可変するトランスバーサルフィルタで構成される。等化器３は、Ａ／Ｄ２からディジタル信号Ｉｃｈ２、Ｑｃｈ２を入力し、ディジタル信号Ｉｃｈ２、Ｑｃｈ２を等化して出力信号Ｉｃｈ３、Ｑｃｈ３を出力するものである。また、等化器３は、後述する間欠リセットパルス信号を受け、タップ係数をリセットする機能を有する。
【００２６】
搬送波位相検波器（ＣＡＲＲ  ＰＤ）６は、復調された信号、つまりベースバンド信号Ｉｃｈ３、Ｑｃｈ３の位相誤差を検出し、位相誤差信号を出力するものであり、ベースバンド信号の位相が進んでいるか遅れているかを判断する。例えば、位相誤差信号は、位相が進んでいれば＋１を、遅れていれば−１を示す信号でもよいし、位相の遅れ進みの大小に応じた連続の値を示す信号でもよい。
【００２７】
搬送波ループフィルタ（ＣＡＲＲ  ＬＰＦ）５は、ＣＡＲＲ  ＰＤ６からの位相誤差信号から高周波成分を取り除くフィルタで、高周波成分が取り除かれた位相誤差信号を発振器４に送る。また、ＣＡＲＲ  ＬＰＦ５は、後述する間欠リセットパルス信号を受け、内部の回路をリセットする機能を有する。
【００２８】
発振器４は、ＣＡＲＲ  ＬＰＦ５から高周波成分が取り除かれた位相誤差信号を受けて、位相同期のための周波数信号を直交検波器１に供給する。
【００２９】
本発明における復調回路では、受信信号の同期、非同期の判定には、Ｃ／Ｎ推定回路７と非同期検出回路９が用いられている。
【００３０】
Ｃ／Ｎ推定回路７は、等化器３の出力信号Ｉｃｈ３、Ｑｃｈ３からＣ／Ｎ（キャリア対雑音）値を求めるもので、以降、この求められたＣ／Ｎ値を推定Ｃ／Ｎ値と称す。そして、Ｃ／Ｎ推定回路７は、推定Ｃ／Ｎ値を非同期検出回路９に送る。
【００３１】
非同期検出回路９は、Ｃ／Ｎ推定回路７で求められた推定Ｃ／Ｎ値と予め設定されたＣ／Ｎ閾値との比較を行い、推定Ｃ／Ｎ値がＣ／Ｎ閾値よりも低い場合には、第１アラーム信号を発生し、この第１アラーム信号を間欠リセット信号発生回路１０に送る。
【００３２】
受信信号連続カウンタ８は、図４に示されるように、Ａ領域判定カウンタ１１と比較器１２とを有して構成される。
【００３３】
Ａ領域判定カウンタ１１は、予め定められた時間内に、等化器３から入力される信号Ｉｃｈ３、Ｑｃｈ３のうちで図３に示されるようなＡ領域に引き込まれて存在する信号の個数（以降、Ａ領域存在信号数と称す）を計数し、このＡ領域存在信号数を比較器１２へ送るものである。Ａ領域は、信号点配置面上の、予め定められた領域で、例えば、信号の最大振幅点を含む領域である。
【００３４】
比較器１２は、Ａ領域域判定カウンタ１１からのＡ領域存在信号数と、予め定められた閾値と比較し、Ａ領域存在信号数が閾値を超えるとき、等化器３が発散しているものと判定し、第２アラーム信号を出力し、この第２アラーム信号を間欠リセット信号発生回路１０に送るものである。
【００３５】
間欠リセット信号発生回路１０は、非同期検出回路９からの第１アラーム信号と受信信号連続カウンタ８からの第２アラーム信号とのうちのいずれかを受け、間欠的にリセットパルス信号（以降、間欠リセットパルス信号）を発生し、この間欠リセットパルス信号を等化器３とＣＡＲＲ  ＬＰＦ５に送る回路である。
【００３６】
次に、本発明の実施形態の動作について図面を参照して詳細に説明する。
【００３７】
図２は、信号点配置面を示す図で、図２（ａ）は、等化器が正常である時の信号点配置を示す信号点配置面図で、図２（ｂ）は、等化器のタップ係数が発散した時の信号点配置を示す信号点配置面図で、図３は、信号点配置面におけるＡ領域を示す図である。
【００３８】
図１と図２と図３と図４とを使用して動作説明を行う。
【００３９】
直交検波器１は、発振器４と協働して、入力ＩＦ信号ＩＦ  ＩＮをベースバンド信号Ｉｃｈ１、Ｑｃｈ１に変換し、このベースバンド信号Ｉｃｈ１、Ｑｃｈ１をＡ／Ｄ２に送る。
【００４０】
Ａ／Ｄ２は、入力されるベースバンド信号Ｉｃｈ１、Ｑｃｈ１をディジタル信号Ｉｃｈ２、Ｑｃｈ２に変換し、このディジタル信号Ｉｃｈ２、Ｑｃｈ２を等化器３に送る。
【００４１】
搬送波同期の確立は、ＣＡＲＲ  ＰＤ６とＣＡＲＲ  ＬＰＦ５と発振器４で構成される搬送波再生ＰＬＬ（位相同期）回路で行われる。
【００４２】
等化器３は、入力されるディジタル信号Ｉｃｈ２、Ｑｃｈ２を等化して出力信号Ｉｃｈ３、Ｑｃｈ３を得、この出力信号Ｉｃｈ３、Ｑｃｈ３を搬送波再生ＰＬＬ回路とＣ／Ｎ推定回路７と受信信号連続カウンタ８とに送る。
【００４３】
本発明で用いる復調回路において、受信信号の同期および非同期の検出は、Ｃ／Ｎ推定回路７と非同期検出回路９で行われる。
【００４４】
Ｃ／Ｎ推定回路７は、等化器３から入力される信号Ｉｃｈ３、Ｑｃｈ３から、推定Ｃ／Ｎ値を求める。すなわち、Ｃ／Ｎ推定回路７は、信号Ｉｃｈ３、Ｑｃｈ３の各々の分散値を求め、これらの分散値を加算して雑音電力を求め、そして、キャリア信号電力とこの雑音電力の比を計算して推定Ｃ／Ｎ値を求め、この求められた推定Ｃ／Ｎ値を非同期検出回路９に送る。
【００４５】
非同期検出回路９は、Ｃ／Ｎ推定回路７で求められた推定Ｃ／Ｎ値と予め設定されたＣ／Ｎ閾値との比較を行い、推定Ｃ／Ｎ値がＣ／Ｎ閾値よりも低い場合には、受信信号が非同期であると判断し、第１アラーム信号を発生し、この第１アラーム信号を間欠リセット信号発生回路１０に送る。
【００４６】
ここで、受信信号の同期、非同期の判定が、Ｃ／Ｎ推定回路７と非同期検出回路９のみを用いて行われると、等化器３のタップ係数が発散した場合に、受信した信号点が最大振幅の信号点に縮退してしまい、正常に引き込んでいないにもかかわらず、推定Ｃ／Ｎ値が、見かけ上、良くなり、非同期検出回路９で非同期の検出ができない。
【００４７】
そこで、本発明による復調回路は、等化器３のタップ係数が発散した場合に、その発散状態を正しく識別する受信信号連続カウンタ８を有して構成されている。
【００４８】
今、変調周波数をｆｓ、変調方式を１６ＱＡＭとすると、１６ＱＡＭが正常状態の場合、図２（ａ）に示されるように、信号は●点に引込まれる。通常、信号を送信する場合、送信側でスクランブルをかけるために、受信側で、同一信号点が連続して受信されることはない。しかし、等化器３のタップ係数が発散すると、図２（ｂ）に示されるように、信号点が最大振幅点に縮退して（引き込まれて）しまい、信号は●点で受信される確率が高くなり、●点以外の○点で受信される確率は低くなる。
【００４９】
これを解決するための受信信号連続カウンタ８の動作を説明する。
【００５０】
図４を参照して、受信信号連続カウンタ８のＡ領域判定カウンタ１１は、等化器３から信号Ｉｃｈ３、Ｑｃｈ３を入力し、予め定められた時間内に、この信号Ｉｃｈ３、Ｑｃｈ３のうちＡ領域に引き込まれて存在する信号の数（以降、Ａ領域存在信号数）を計数し、このＡ領域存在信号数を比較器１２へ送る。
【００５１】
比較器１２は、Ａ領域判定カウンタ１１からのＡ領域存在信号数と、予め定められた閾値と比較し、Ａ領域存在信号数が閾値を超えるとき、等化器３が発散しているものと判定し、第２アラーム信号を出力し、この第２アラーム信号を間欠リセット信号発生回路１０に送る。
【００５２】
さらに具体的に、Ａ領域判定カウンタ１１は、例えば、ｎ＊（１／ｆｓ）時間内に（ここでｎは、同期判定の対象とする信号の総数である標本信号数で、ｆｓは、変調周波数である）、Ａ領域存在信号数をａと計数し、このＡ領域存在信号数ａを比較器１２に送る。
【００５３】
比較器１２は、閾値がｎ／２と設定されているとき、Ａ領域存在回数ａと閾値ｎ／２とを比較し、ａ＞ｎ／２であるとき、等化器３のタップ係数が発散していると判定し、第２アラーム信号を出力し、この第２アラーム信号を間欠リセット信号発生回路１０に送る。
【００５４】
このように、受信信号連続カウンタ８は、正常動作時の非同期検出回路に悪影響を与えることなく、等化器３の発散を検出できる。この検出により、復調回路は、異常状態から、正常状態に復旧される。
【００５５】
間欠リセット信号発生回路１０は、一定周期でリセットパルス信号を発生するリセットパルス発生回路と、非同期検出回路９からの第１アラーム信号と受信信号連続カウンタ８からの第２アラーム信号とを論理和する論理和回路と、この論理和回路からの出力とリセットパルス発生回路からのリセットパルス信号との論理積をとる論理積回路を備え、第１アラーム信号と第２アラーム信号とのうちのいずれかを受信して論理和回路の出力がハイレベルのときのみ、論理積回路は、リセットパルス発生回路からのリセットパルス信号（以降、間欠リセットパルス信号と称す）を等化器３とＣＡＲＲ  ＬＰＦ５に送る。
【００５６】
等化器３は、間欠リセット信号発生回路１０から間欠リセットパルス信号を受けると、タップ係数をリセットする。
【００５７】
ＣＡＲＲ  ＬＰＦ５は、間欠リセット信号発生回路１０から間欠リセットパルス信号を受けると、内部の回路をリセットする。
【００５８】
このような一連の動作が、信号を正しく復調するまで、繰り返し続けられる。
【００５９】
以上では、受信信号連続カウンタ８における比較器１２は、Ａ領域存在信号数ａと閾値ｎ／２とを比較して、ａ＞ｎ／２であるとき、第２アラーム信号を出力しているが、この閾値をｎ／Ｍ（Ｍは、正の実数）として、比較器１２は，ａ＞ｎ／Ｍであるとき、第２アラーム信号を出力してもよい。
【００６０】
次に、本発明による第２の実施形態について説明する。
【００６１】
図５は、本発明による第２の実施形態のブロック構成図である。
【００６２】
第２の実施形態は、直交検波器１３、アナログ・ディジタル変換器（Ａ／Ｄ）１４、位相回転器１５、等化器１６、発振器１７、数値制御発振器１８、搬送波ループフィルタ（ＣＡＲＲ  ＬＰＦ）１９、搬送波位相検波器（ＣＡＲＲ  ＰＤ）２０、非同期検出回路２１、間欠リセット信号発生回路２３で構成される準同期検波回路に、受信信号連続カウンタ２２を付加されて構成される。
【００６３】
直交検波器１３とＡ／Ｄ１４と等化器１６と発振器１７と搬送波ループフィルＣＡＲＲ  ＬＰＦ１９とＣＡＲＲ  ＰＤ２０と間欠リセット信号発生回路２３と受信信号連続カウンタ２２の各々は、第１の実施形態を構成する直交検波器１とＡ／Ｄ２と等化器３と発振器４とＣＡＲＲ  ＬＰＦ５とＣＡＲＲ  ＰＤ６と間欠リセット信号発生回路１０と受信信号連続カウンタ８の各々と同一のものである。
【００６４】
非同期検出回路２１は、等化器１６からの出力信号Ｉｃｈ４、Ｑｃｈ４を受け、この信号が非同期であると判断すると、第１アラーム信号を発生し、この第１アラーム信号を間欠リセット信号発生回路２３に送るものである。
【００６５】
数値制御発振器１８は、ＣＡＲＲ  ＬＰＦ１９からの位相誤差信号より、位相回転器１５を制御するための数値を発生し、この数値を位相回転器１５に送るものである。
【００６６】
位相回転器１５は、数値制御発振器１８からの数値により、Ａ／Ｄ２からのディジタル信号Ｉｃｈ２、Ｑｃｈ２の位相を固定し、位相が固定されたディジタル信号Ｉｃｈ３、Ｑｃｈ３を等化器１６に送るものである。
【００６７】
位相回転器１５と等化器１６とＣＡＲＲ  ＰＤ２０とＣＡＲＲ  ＬＰＦ１９と数値制御発振器１８とで構成されるヒィードバックループで位相同期が行われる。
【００６８】
動作を説明する。
【００６９】
非同期検出回路２１は、等化器１６からの出力信号Ｉｃｈ４、Ｑｃｈ４を受け、この信号が非同期であると判断すると、第１アラーム信号を発生し、この第１アラーム信号を間欠リセット信号発生回路２３に送る。
【００７０】
受信信号連続カウンタ２３は、等化器１６からの出力信号Ｉｃｈ４、Ｑｃｈ４を受け、信号Ｉｃｈ４、Ｑｃｈ４のうち、Ａ領域に引き込まれて存在する信号の数であるＡ領域存在信号数を計数し、このＡ領域存在信号数が予め定められた閾値を超えるとき、等化器１６が発散しているものと判定し、第２アラーム信号を出力し、この第２アラーム信号を間欠リセット信号発生回路２１に送る。
【００７１】
間欠リセット信号発生回路２１は、第１アラーム信号と第２アラーム信号とのうちのいずれかを受けると、間欠リセットパルス信号を等化器１６とＣＡＲＲ  ＬＰＦ１９に送る。
【００７２】
等化器１６は、間欠リセット信号発生回路２３から間欠リセットパルス信号を受けると、タップ係数をリセットする。
【００７３】
ＣＡＲＲ  ＬＰＦ１９は、間欠リセット信号発生回路２３から間欠リセットパルス信号を受けると、内部の回路をリセットする。
【００７４】
以上の実施形態では、変調方式は１６ＱＡＭであるが、１６ＱＡＭ以外の３２ＱＡＭ、６４ＱＡＭを含む多値ＱＡＭの復調回路に、本発明が同様に適用できる。
【００７５】
【発明の効果】
本発明は、等化器出力信号のうち信号配置面の予め定められた領域に存在する信号の数を計数し等化器の発散を検出し、この計数された信号の個数に基づいて等化器をリセットするよう構成されているので、受信信号の同期はずれ状態から、正常な同期状態に復旧するまでの時間を短縮できるという効果がある。
【００７６】
さらに、本発明は、信号配置面の予め定められた領域に存在する信号の数を計数して等化器の発散を検出するとともにＣ／Ｎ値の測定で信号の非同期を検出して、等化器をリセットするよう構成されているので、受信信号の再引き込みから同期判定にかかる時間を短縮できるという効果がある。
【００７７】
【図面の簡単な説明】
【図１】本発明による第１の実施形態の構成ブロック図である。
【図２】信号点配置面を示す図である。
【図３】信号点配置面におけるＡ領域を示す図である。
【図４】受信信号連続カウンタの詳細ブロック構成図である。
【図５】本発明による第２の実施形態の構成ブロック図である。
【符号の説明】
１    直交検波器
２    アナログ・ディジタル変換器（Ａ／Ｄ）
３    等化器
４    発振器
５    搬送波ループフィルタ（ＣＡＲＲ  ＬＰＦ）
６    搬送波位相検波器（ＣＡＲＲ  ＰＤ）
７    Ｃ／Ｎ推定回路
８    受信信号連続カウンタ
９    非同期検出回路
１０    間欠リセット信号発生回路
１１    Ａ領域判定カウンタ
１２    比較器
１３    直交検波器
１４    アナログ・ディジタル変換器（Ａ／Ｄ）
１５    位相回転器
１６    等化器
１７    発振器
１８    数値制御発振器
１９    搬送波ループフィルタ（ＣＡＲＲ  ＬＰＦ）
２０    搬送波位相検波器（ＣＡＲＲ  ＰＤ）
２１    非同期検出回路
２２    受信信号連続カウンタ
２３    間欠リセット信号発生回路
【図１】
2004242258.tif 000003
【図２】
2004242258.tif 000004
【図３】
2004242258.tif 000005
【図４】
2004242258.tif 000006
【図５】
2004242258.tif 000007